(57)【特許請求の範囲】
【請求項１】
映像を入力するための映像入力手段と、
音声を入力するための音声入力手段と、
音声信号の音圧レベルを検出するための音圧レベル検出手段と、
入力された映像および音声信号を符号化するための符号化手段と、
符号化された信号を一時的に保持するための符号化信号保持手段と、
符号化された信号を保存するためのメディアと、
該メディアに対して信号を記録するとともに、該メディアに記録された信号を再生するための信号記録再生手段と、
再生された信号を一時的に保持するための再生信号保持手段と、
再生された信号を復号して映像および音声信号を生成するための音声および映像信号生成手段と、
映像および音声信号を再生する際に、視聴者映像を挿入する位置情報を記録および再生するための位置情報記録再生手段とを備え、
前記信号記録再生手段により、予め映像および音声信号が記録されているメディアを再生しながら視聴者を撮影し、
前記符号化手段により、前記映像入力手段および音声入力手段からの映像および音声信号の符号化を行ない、
前記音圧レベル検出手段により、視聴者の歓声を検知し、
前記視聴者の歓声が検知されると、前記信号記録再生手段により、歓声をあげている視聴者の映像を前記メディアに記録するとともに、前記位置情報記録再生手段により、視聴者映像を挿入する部分を表す情報を前記メディアに記録し、
前記メディアに記録された映像および音声信号を再生する際に、視聴者が歓声をあげている映像を挿入して再生することを特徴とする視聴者映像記録再生装置。
【請求項２】
映像の一部に他の映像を子画面として挿入するための子画面挿入手段と、
音声をミックスするための音声ミックス手段とを備え、
前記メディアに記録された映像および音声信号を再生する際に、前記子画面挿入手段により、予め記録されていた再生映像に対して、歓声をあげている視聴者の再生映像を子画面として挿入し、
前記音声ミックス手段により、それぞれの音声をミックスして出力することを特徴とする請求項１記載の視聴者映像記録再生装置。
【請求項３】
音声をミックスするための音声ミックス手段を備え、
前記メディアに記録された映像および音声信号を再生する際に、前記音声ミックス手段により、予め記録されている再生映像の音声と、歓声をあげている視聴者の再生音声とをミックスして出力することを特徴とする請求項１記載の視聴者映像記録再生装置。
【請求項４】
複数の映像を縮小し、サムネイル画像として一枚の映像を生成するためのサムネイル生成手段と、
前記メディア上における映像位置を表す情報を記録および再生するための映像位置記録再生手段とを備え、
前記サムネイル生成手段で生成された視聴者が歓声をあげた部分のサムネイル映像を前記メディアに記録するとともに、前記映像位置記録再生手段により、該サムネイル映像に対応する元映像のメディア上の位置を表す情報を記録し、
映像および音声信号を再生する際に、歓声のあがった映像を呼び出して再生することを特徴とする請求項１〜３のうちのいずれか１項記載の視聴者映像記録再生装置。
【請求項５】
入力された音声信号に基づいて映像内における歓声の発生場所を検出するための歓声発生場所検出手段と、
映像の一部を切り出して拡大するための映像拡大手段とを備え、
前記歓声発生場所検出手段により歓声が検出されると、前記映像拡大手段により歓声を発生した視聴者を拡大撮影して、該拡大画像を前記メディアに記録することを特徴とする請求項１〜４のうちのいずれか１項記載の視聴者映像記録再生装置。
【請求項６】
入力された音声信号に基づいて映像内における歓声の発生場所を検出するための歓声発生場所検出手段と、
前記歓声発生場所検出手段により検出した歓声の発生場所に関する位置情報を前記メディアに記録するための歓声発生位置情報記録手段と、
映像の一部を切り出して拡大するための映像拡大手段とを備え、
前記信号記録再生手段により、視聴者全体の映像を前記メディアに記録するとともに、前記歓声発生位置情報記録手段により、歓声を発生した視聴者の映像内における位置情報を前記メディアに記録し、
映像および音声信号を再生する際に、前記映像拡大手段により、歓声発生場所の位置情報に基づいて再生映像の一部を切り出すとともに拡大し、歓声をあげた視聴者を拡大表示することを特徴とする請求項１〜４のうちのいずれか１項記載の視聴者映像記録再生装置。
【請求項７】
入力された音声信号から音声認識を行ない文字情報を生成するための文字情報生成手段と、
前記文字情報生成手段により生成された文字情報をテロップとして映像に合成するためのテロップ映像合成手段とを備え、
前記文字情報生成手段により、視聴者があげた歓声を文字情報に変換し、
前記テロップ映像合成手段により、前記文字情報をテロップとして映像に合成して前記メディアに記録することを特徴とする請求項１〜６のうちのいずれか１項記載の視聴者映像記録再生装置。
【請求項８】
入力された音声信号から音声認識を行ない文字情報を生成するための文字情報生成手段と、
前記文字情報生成手段により生成された文字情報を記録するための文字情報記録手段と、
前記文字情報記録手段に記録された文字情報を再生するための文字情報再生手段と、
前記文字情報再生手段により再生された文字情報をテロップとして映像に合成するためのテロップ映像合成手段とを備え、
音声および映像信号を再生する際に、前記テロップ映像合成手段により、歓声をテロップとして映像に合成することを特徴とする請求項１〜６のうちのいずれか１項記載の視聴者映像記録再生装置。
【発明の詳細な説明】
【０００１】
【発明の属する技術分野】
本発明は、メディアに記録されている映像を鑑賞している視聴者が歓声をあげている様子を、同一メディアに記録することを可能とした、視聴者映像記録再生装置に関する。
【０００２】
【従来の技術】
従来、元映像に視聴者の歓声映像を挿入しようとする場合には、まず、再生装置とは別に撮影装置を用意し、視聴者が鑑賞している様子を撮影しなければならなかった。
そして、撮影された視聴者の映像を元映像に挿入するためには、視聴者が歓声をあげている映像を探し出し、その後、元映像および視聴者映像の必要部分を適宜組み合わせて、映像編集装置、音声ミキシング装置を用いて映像を編集するとともに音声ミキシング作業を行う必要があった。
【０００３】
また、視聴者映像を子画面として合成する場合には、子画面合成回路が必要であった。そして、視聴者が歓声をあげている映像を探し出すとともに、子画面挿入映像を生成して、映像および音声の編集作業を行う必要があった。
【０００４】
また、元画像に視聴者の歓声のみを挿入する場合には、音声ミキシング装置が必要であった。そして、視聴者が歓声をあげている映像を探し出すとともに、音声ミキシング作業を行う必要があった。
【０００５】
また、視聴者が歓声をあげている元映像のサムネイル画像を挿入するには、サムネイル画像作成装置が必要であった。そして、視聴者が歓声をあげている元映像を探し出すとともに、サムネイル画像作成装置を用いてサムネイル画像を作成し、映像編集を行う必要があった。
【０００６】
また、歓声をあげている視聴者の拡大映像を記録する場合には、画像の拡大切り出し装置が必要であった。そして、歓声をあげている映像を探し出すとともに、歓声をあげている視聴者を特定し、画像の拡大切り出し装置を用いて拡大映像を作成し、映像を編集するとともに音声ミキシング作業を行う必要があった。
このような拡大映像を生成する場合には、歓声をあげている視聴者全体を記録し、再生時に歓声をあげている視聴者を自動的に拡大表示することはできなかった。
【０００７】
また、歓声をテロップとして挿入して記録する場合には、テロップを作成するためのテロップ作成装置と、テロップを映像に合成するためのテロップ合成装置が必要であった。そして、視聴者が歓声をあげている映像を探し出して、歓声の内容からテロップを作成し、さらに合成映像を作成して、映像を編集するとともに、音声ミキシング作業を行う必要があった。
【０００８】
また、歓声を文字情報として記録し、再生時に再生映像にテロップとして合成する場合には、文字情報入力装置、文字情報記録再生装置、テロップ作成装置おおびテロップ合成装置が必要であった。そして、歓声をあげている映像を探し出して、歓声の内容を文字情報に変換し、さらに文字情報入力装置、文字情報記録装置を用いてテロップをメディアに記録する必要があった。
【０００９】
【発明が解決しようとする課題】
上述したように、従来の技術を用いて、元映像に対して当該映像を視聴している視聴者の映像を挿入しようとする場合には、再生装置とは別に視聴者撮影用の記録装置が必要となってしまう。
また、視聴者が歓声をあげた部分を探し出すためには、映像および音声の内容を確認する必要があった。この場合、元映像のどの部分で視聴者が歓声をあげたかを特定するために、元映像と視聴者記録映像の関係を把握する必要があり、燥作が煩雑であった。
【００１０】
また、種々の合成画面を作成するためには、繁雑な合成作業が必要であった。すなわち、子画面を作成するためには、子画面合成回路を用いて、歓声をあげている視聴者映像の子画面を挿入するための作業が必要であり、音声ミキシングを行うためには、音声ミキシング装置を用いて、元映像と歓声とのミキシング作業を行う必要があり、サムネイル画像を作成するためには、サムネイル画像作成装置を用いて、視聴者が歓声をあげた元映像に対応するサムネイル画像を作成するための作業が必要であり、画像を拡大するためには、画像の拡大切り出し装置を用いて、歓声をあげた視聴者の拡大映像を作成する作業が必要であり、テロップを挿入するためには、テロップ作成装置およびテロップ合成装置を用いて、歓声テロップを作成して合成するための作業が必要であった。
また、視聴者全体の映像と、歓声をあげている視聴者の映像内の位置を示す情報を記録して、再生時に歓声をあげている視聴者を拡大表示することはできなかった。
【００１１】
本発明は、上述した事情に鑑み提案されたもので、元映像に対して当該映像を視聴している視聴者映像等を合成する場合に、容易に合成画面を作成することが可能な視聴者映像記録再生装置を提供することを目的とする。
【００１２】
【課題を解決するための手段】
本発明の視聴者映像記録再生装置は、上述した目的を達成するため、以下の特徴点を備えている。
【００１３】
すなわち、本発明の視聴者映像記録再生装置は、映像を入力するための映像入力手段と、音声を入力するための音声入力手段と、音声信号の音圧レベルを検出するための音圧レベル検出手段と、入力された映像および音声信号を符号化するための符号化手段と、符号化された信号を一時的に保持するための符号化信号保持手段と、符号化された信号を保存するためのメディアと、該メディアに対して信号を記録するとともに、該メディアに記録された信号を再生するための信号記録再生手段と、再生された信号を一時的に保持するための再生信号保持手段と、再生された信号を復号して映像および音声信号を生成するための音声および映像信号生成手段と、映像および音声信号を再生する際に、視聴者映像を挿入する位置情報を記録および再生するための位置情報記録再生手段とを備え、
前記信号記録再生手段により、予め映像および音声信号が記録されているメディアを再生しながら視聴者を撮影し、前記符号化手段により、前記映像入力手段および音声入力手段からの映像および音声信号の符号化を行ない、前記音圧レベル検出手段により、視聴者の歓声を検知し、前記視聴者の歓声が検知されると、前記信号記録再生手段により、歓声をあげている視聴者の映像を前記メディアに記録するとともに、前記位置情報記録再生手段により、視聴者映像を挿入する部分を表す情報を前記メディアに記録し、前記メディアに記録された映像および音声信号を再生する際に、視聴者が歓声をあげている映像を挿入して再生することを特徴とするものである。
【００１４】
また、前記視聴者映像記録再生装置において、映像の一部に他の映像を子画面として挿入するための子画面挿入手段と、音声をミックスするための音声ミックス手段とを備え、
前記メディアに記録された映像および音声信号を再生する際に、前記子画面挿入手段により、予め記録されていた再生映像に対して、歓声をあげている視聴者の再生映像を子画面として挿入し、前記音声ミックス手段により、それぞれの音声をミックスして出力することが可能である。
【００１５】
また、前記視聴者映像記録再生装置において、音声をミックスするための音声ミックス手段を備え、前記メディアに記録された映像および音声信号を再生する際に、前記音声ミックス手段により、予め記録されている再生映像の音声と、歓声をあげている視聴者の再生音声とをミックスして出力することが可能である。
【００１６】
また、前記視聴者映像記録再生装置において、複数の映像を縮小し、サムネイル画像として一枚の映像を生成するためのサムネイル生成手段と、前記メディア上における映像位置を表す情報を記録および再生するための映像位置記録再生手段とを備え、
前記サムネイル生成手段で生成された視聴者が歓声をあげた部分のサムネイル映像を前記メディアに記録するとともに、前記映像位置記録再生手段により、該サムネイル映像に対応する元映像のメディア上の位置を表す情報を記録し、映像および音声信号を再生する際に、歓声のあがった映像を呼び出して再生することが可能である。
【００１７】
また、前記視聴者映像記録再生装置において、入力された音声信号に基づいて映像内における歓声の発生場所を検出するための歓声発生場所検出手段と、映像の一部を切り出して拡大するための映像拡大手段とを備え、
前記歓声発生場所検出手段により歓声が検出されると、前記映像拡大手段により歓声を発生した視聴者を拡大撮影して、該拡大画像を前記メディアに記録することが可能である。
【００１８】
また、前記視聴者映像記録再生装置において、入力された音声信号に基づいて映像内における歓声の発生場所を検出するための歓声発生場所検出手段と、前記歓声発生場所検出手段により検出した歓声の発生場所に関する位置情報を前記メディアに記録するための歓声発生位置情報記録手段と、映像の一部を切り出して拡大するための映像拡大手段とを備え、
前記信号記録再生手段により、視聴者全体の映像を前記メディアに記録するとともに、前記歓声発生位置情報記録手段により、歓声を発生した視聴者の映像内における位置情報を前記メディアに記録し、映像および音声信号を再生する際に、前記映像拡大手段により、歓声発生場所の位置情報に基づいて再生映像の一部を切り出すとともに拡大し、歓声をあげた視聴者を拡大表示することが可能である。
【００１９】
また、前記視聴者映像記録再生装置において、入力された音声信号から音声認識を行ない文字情報を生成するための文字情報生成手段と、前記文字情報生成手段により生成された文字情報をテロップとして映像に合成するためのテロップ映像合成手段とを備え、
前記文字情報生成手段により、視聴者があげた歓声を文字情報に変換し、前記テロップ映像合成手段により、前記文字情報をテロップとして映像に合成して前記メディアに記録することが可能である。
【００２０】
また、前記視聴者映像記録再生装置において、入力された音声信号から音声認識を行ない文字情報を生成するための文字情報生成手段と、前記文字情報生成手段により生成された文字情報を記録するための文字情報記録手段と、前記文字情報記録手段に記録された文字情報を再生するための文字情報再生手段と、前記文字情報再生手段により再生された文字情報をテロップとして映像に合成するためのテロップ映像合成手段とを備え、
音声および映像信号を再生する際に、前記テロップ映像合成手段により、歓声をテロップとして映像に合成することが可能である。
【００２１】
【発明の実施の形態】
以下、図面に示す具体的な実施例に基づいて、本発明に係る視聴者映像記録再生装置の実施形態を説明する。
【００２２】
＜実施例１＞
図１は、本発明の実施例１に係る視聴者映像記録再生装置の構成を示すブロック図である。また、図２は、実施例１に係る視聴者映像記録再生装置で使用するメディア上に記録された再生データの構造を示す説明図である。
【００２３】
図１において、１０１は映像を撮影入力するためのカメラ、１０２は入力された映像および音声を符号化するためのエンコーダ、１０３は符号化データを一時的に保持するためのバッファ、１０４は符号化データをメディアに記録するための記録回路、１０５は符号化データを保存するためのメディア、１０６は音声を入力するためのマイク、１０７は入力された音声の音圧レベルを判別するための音圧判定回路、１０８は音圧判定回路からの判定結果に基づいて、記録および再生動作を制御するためのコントローラ（ＣＴＬ）、１０９はメディアからの符号化信号を読み出すための再生回路、１１０はメディアから再生された符号化データを一時的に保持するためのバッファ、１１１は再生された符号化データを復号して、映像および音声を生成するためのデコーダ、１１２は再生映像出力（モニタ出力）、１１３は再生音声出力（スピーカ出力）である。
【００２４】
次に、実施例１に係る視聴者映像記録再生装置の動作を説明する。
メディア１０５には、図２に示すように、再生データとして、映像１〜１０が予め記録されている。
実施例１に係る視聴者映像記録再生装置において、コントローラ１０８は、再生回路１０９を用いてメディア１０５から信号を読み出す。読み出された信号はバッファ１１０を通過し、デコーダ１１１で復号処理されて、モニタ出力１１２およびスピーカ出力１１３となる。
【００２５】
図２に示すように、視聴者が映像１〜１０を鑑賞しながら、映像４〜６、８〜９区間で歓声をあげたとする。この時、コントローラ１０８は、カメラ１０１およびマイク１０６を用いて、再生映像を鑑賞している視聴者を撮影し、マイク１０６からの音声信号の音圧レベルを音圧判定回路１０７で検出し、音圧レベルが予め設定されている値を超えた範囲を視聴者の歓声と判定して、その範囲の映像および音声を視聴者映像としてエンコーダ１０２を用いて符号化する。
【００２６】
符号化信号は、バッファ１０３を通過し、記録回路１０４を用いて、メディア１０５に追加記録データ１１〜１５として記録される。また、再生手順リストに従い再生データを再編成することにより、映像１〜１０の間に追加記録データ１１〜１５が挿入された形となる。
ここで、エンコーダ１０２からバッファ１０３に入力される転送速度よりも、バッファ１０３から記録回路１０４およびメディア１０５へ出力される転送速度の方が速く、また、メディア１０５および再生回路１０９からバッファ１１０に入力される転送速度よりも、バッファ１１０からデコーダ１１１に出力される転送速度の方が遅くなっている。このため、映像および音声の記録、再生を途切れることなく交互に行うことが可能となる。
【００２７】
上記動作が完了した後の再生動作において、コントローラ１０８は、再生手順リストに従い、再生回路１０９を用いてメディア１０５から信号を読み出してバッファ１１０に保持した後、デコーダ１１１で復号処理し、モニタ出力１１２およびスピーカ出力１１３として出力する。
【００２８】
以上の動作により、図２に示すように、予め記録されていた映像１〜１０に対して、当該映像を鑑賞し歓声をあげている視聴者の映像および音声１１〜１５が適宜挿入された状態で再生される。
ここで、追加記録される視聴者映像１１〜１５は、図２における映像１０の直後に連続的に記録される必要はなく、メディア１０５上で離れた位置に離散的に記録されても何ら問題はない。
【００２９】
＜実施例２＞
次に、本発明の実施例２に係る視聴者映像記録再生装置について説明する。
図２は、本発明の実施例２に係る視聴者映像記録再生装置の構成を示すブロック図である。また、図３は、実施例２に係る視聴者映像記録再生装置で使用するメディア上に記録された再生データの構造を示す説明図である。
【００３０】
実施例２に係る視聴者映像記録再生装置は、上述した実施例１に係る視聴者映像記録再生装置とほぼ同様の構成を備えているため、以下、実施例１に係る視聴者映像記録再生装置と異なる部分のみを説明する。なお、実施例１に係る視聴者映像記録再生装置とほぼ同様の機能を有する部分には、同一の符号を付して詳細な説明を省略する。
【００３１】
図３において、１１４は再生時に復号処理された元映像信号を一時的に保持するためのバッファ、１１５は再生時に復号処理された元音声信号を一時的に保持するためのバッファ、１１６は再生時に復号処理された視聴者映像信号を一時的に保持するためのバッファ、１１７は再生時に復号処理された視聴者音声信号を一時的に保持するためのバッファ、１１８は元映像に視聴者映像を子画面挿入するための子画面合成回路（ＰｉｎＰ）、１１９は元音声信号と視聴者音声をミックスするための音声ミキシング回路（Ｍｉｘ）である。
【００３２】
メディア１０５には、図４に示すように、再生データとして、映像１〜９が予め記録されている。
実施例２に係る視聴者映像記録再生装置において、コントローラ１０８は、再生回路１０９を用いてメディア１０５より信号を読み出す。読み出された信号はバッファ１１０を通過し、デコーダ１１１で復号処理され、バッファ１１４およびバッファ１１５を通過する。
さらに、この信号は、子画面合成回路１１８および音声ミキシング回路１１９において、子画面挿入および音声ミックスが行なわれることなく、モニタ出力１１２およびスピーカ出力１１３となる。
【００３３】
図４に示すように、視聴者が映像１〜９を鑑賞しながら、４〜６区間で歓声をあげたとする。この時、コントローラ１０８は、カメラ１０１およびマイク１０６を用いて、再生映像を鑑賞している視聴者を撮影し、マイク１０６からの音声信号の音圧レベルを音圧判定回路１０７で検出し、音圧レベルが予め設定されている値を超えた範囲を視聴者の歓声と判定して、その範囲の映像を視聴者映像としてエンコーダ１０２を用いて符号化する。
【００３４】
符号化信号は、バッファ１０３を通過し、記録回路１０４を用いて、メディア１０５に追加記録データ１０〜１２として記録される。また、再生手順リストに従い再生データを再編成することにより、映像１〜９の間に追加記録データ１０〜１２が挿入された形となる。また、メディア１０５には、追加記録データ１０〜１２が視聴者映像である旨を示す情報が記録される。
【００３５】
ここで、エンコーダ１０２からバッファ１０３に入力される転送速度よりも、バッファ１０３から記録回路１０４およびメディア１０５へ出力される転送速度の方が速く、また、メディア１０５、再生回路１０９、バッファ１１０およびデコーダ１１１からバッファ１１４〜１１７に入力される転送速度よりも、バッファ１１４〜１１７から子画面合成回路１１８および音声ミキシング回路１１９に出力される転送速度の方が速くなっている。このため、映像および音声の記録、再生を途切れることなく交互に行うことが可能となる。
【００３６】
上記動作が完了した後の再生動作において、コントローラ１０８は、再生手順リストに従い、再生回路１０９を用いてメディア１０５から信号を読み出し、バッファ１１０に保持した後、デコーダ１１１で復号処理し、視聴者映像を示す情報を読み出す。そして、当該情報に基づいて、元映像をバッファ１１４に保持し、元音声をバッファ１１５に保持し、視聴者映像をバッファ１１６に保持し、視聴者音声をバッファ１１７に保持する。
続いて、子画面合成回路１１８で元映像に視聴者映像を子画面として挿入し、モニタ出力１１２として出力する。また、音声ミキシング回路１１９で元音声と視聴者音声をミックスし、スピーカ出力１１３として出力する。
【００３７】
以上の動作により、図４に示すように、予め記録されていた映像１〜９に対して、当該映像を鑑賞し歓声をあげている視聴者の映像１０〜１２が、子画面として適宜挿入されて再生される。また、元音声と視聴者音声が、ミックスされた状態で出力される。
ここで、追加記録される視聴者映像１０〜１２は、図４における映像９の直後に連続的に記録される必要はなく、メディア１０５上で離れた位置に離散的に記録されても何ら問題はない。
【００３８】
＜実施例３＞
次に、本発明の実施例３に係る視聴者映像記録再生装置について説明する。
図５は、本発明の実施例３に係る視聴者映像記録再生装置の構成を示すブロック図である。また、図６は、実施例３に係る視聴者映像記録再生装置で使用するメディア上に記録された再生データの構造を示す説明図である。
【００３９】
実施例３に係る視聴者映像記録再生装置は、上述した実施例１および実施例２に係る視聴者映像記録再生装置とほぼ同様の構成を備えているため、以下、実施例１および実施例２に係る視聴者映像記録再生装置と異なる部分のみを説明する。なお、実施例１および実施例２に係る視聴者映像記録再生装置とほぼ同様の機能を有する部分には、同一の符号を付して詳細な説明を省略する。
【００４０】
メディア１０５には、図６に示すように、再生データとして、映像１〜９が予め記録されている。
実施例３に係る視聴者映像記録再生装置において、視聴者映像の追加記録動作は、上述した実施例１に係る視聴者映像記録再生装置とほぼ同様となっている。
【００４１】
視聴者映像の追加記録後における再生動作において、コントローラ１０８は、再生手順リストに従い、再生回路１０９を用いてメディア１０５から信号を読み出し、バッファ１１０に保持した後、デコーダ１１１で復号処理する。そして、元音声をバッファ１１５に保持し、視聴者音声をバッファ１１７に保持し、音声ミキシング回路１１９で元音声と視聴者音声をミックスして、スピーカ出力１１３として出力する。
【００４２】
以上の動作により、図６に示すように、予め記録されていた映像１〜９に対して、当該映像を鑑賞し歓声をあげている視聴者の音声１０〜１２が、元音声とミックスされた状態で出力される。
ここで、追加記録される視聴者映像１０〜１２は、図６における映像９の直後に連続的に記録される必要はなく、メディア１０５上で離れた位置に離散的に記録されても何ら問題はない。
【００４３】
＜実施例４＞
次に、本発明の実施例４に係る視聴者映像記録再生装置について説明する。
図７は、本発明の実施例４に係る視聴者映像記録再生装置の構成を示すブロック図である。また、図８は、実施例４に係る視聴者映像記録再生装置で使用するメディア上に記録された再生データの構造を示す説明図である。
【００４４】
実施例４に係る視聴者映像記録再生装置は、上述した実施例１に係る視聴者映像記録再生装置とほぼ同様の構成を備えているため、以下、実施例１に係る視聴者映像記録再生装置と異なる部分のみを説明する。なお、実施例１に係る視聴者映像記録再生装置とほぼ同様の機能を有する部分には、同一の符号を付して詳細な説明を省略する。
【００４５】
図７において、１２０は複数の映像を縮小し、サムネイル画像として一枚の映像を生成するためのサムネイル映像生成回路である。
メディア１０５には、図８に示すように、再生データとして、映像１〜１０が予め記録されている。
【００４６】
実施例４に係る視聴者映像記録再生装置において、コントローラ１０８は、再生回路１０９を用いてメディア１０５より信号を読み出す。読み出された信号はバッファ１１０を通過し、デコーダ１１１で復号処理され、モニタ出力１１２およびスピーカ出力１１３となる。
【００４７】
図８に示すように、視聴者が再生映像１〜１０を鑑賞しながら、４〜６、８〜９区間で歓声をあげたとする。この時、コントローラ１０８は、カメラ１０１およびマイク１０６を用いて、再生映像を鑑賞している視聴者を撮影し、マイク１０６からの音声信号の音圧レベルを音圧判定回路１０７で検出し、音圧レベルが予め設定されている値を超えた範囲を視聴者の歓声と判定し、その範囲の映像を視聴者映像としてエンコーダ１０２を用いて符号化する。
【００４８】
符号化信号は、バッファ１０３を通過し、記録回路１０４を用いて、メディア１０５に追加記録データ１１〜１５として記録される。また、歓声を検出した時点で、元映像である映像３および映像７を、デコーダ１１１からサムネイル作成回路１２０に送信し、サムネイル画像を生成する。
【００４９】
サムネイル画像は、再生データの最終映像である映像１０を再生した後、記録回路１０４により、追加記録データ１５に続いて、サムネイル画像の元となった元映像３および元映像７のメディア上の位置を表す情報とともに、メディア１０５に記録される。
また、再生手順リストに従い再生データを再編成することにより、映像１〜１０の間に追加記録データ１１〜１５が挿入された形となる。
【００５０】
ここで、エンコーダ１０２からバッファ１０３に入力される転送速度よりも、バッファ１０３から記録回路１０４およびメディア１０５へ出力される転送速度の方が速く、また、メディア１０５および再生回路１０９からバッファ１１０に入力される転送速度よりも、バッファ１１０からデコーダ１１１に出力される転送速度の方が遅くなっている。このため、映像および音声の記録、再生を途切れることなく交互に行うことが可能となる。
上記動作が完了した後の再生動作において、コントローラ１０８は、再生手順リストに従い、再生回路１０９を用いてメディア１０５から信号を読み出し、バッファ１１０に保持した後、デコーダ１１１で復号処理し、モニタ出力１１２およびスピーカ出力１１３として出力する。
【００５１】
以上の動作により、図８に示すように、予め記録されていた元映像１〜１０に対して、当該映像を鑑賞し歓声をあげている視聴者の映像および音声１１〜１５が、適宜挿入されて再生される。また、この時、視聴者が歓声をあげた部分のインデックスであるサムネイル画像を参照することができる。
また、コントローラ１０８は、サムネイル画像１６に収められている映像３、映像７のメディア上の位置情報を読み取ることにより、直接、映像３および映像７を再生することが可能となる。
【００５２】
ここで、追加記録される視聴者映像１１〜１５およびサムネイル画像１６は、図８における映像１０の直後に連続的に記録される必要はなく、メディア１０５上で離れた位置に離散的に記録されても何ら問題はない。
【００５３】
＜実施例５＞
次に、本発明の実施例５に係る視聴者映像記録再生装置について説明する。
図９は、本発明の実施例５に係る視聴者映像記録再生装置の構成を示すブロック図である。また、図１０は、実施例５に係る視聴者映像記録再生装置で使用するメディア上に記録された再生データの構造を示す説明図である。
【００５４】
実施例５に係る視聴者映像記録再生装置は、上述した実施例１に係る視聴者映像記録再生装置とほぼ同様の構成を備えているため、以下、実施例１に係る視聴者映像記録再生装置と異なる部分のみを説明する。なお、実施例１に係る視聴者映像記録再生装置とほぼ同様の機能を有する部分には、同一の符号を付して詳細な説明を省略する。
【００５５】
図９において、１２１はマイク１６より入力された音声信号の左右音声の比率等に基づいて、カメラ１０１により撮影された画像内で音圧レベルが高い場所を検出して位置情報を生成するための音源判定回路、１２２は音源判定回路１２１からの位置情報に基づいて、カメラ１０１からの入力映像の一部を切り出し、拡大するための画像切り出し回路である。
メディア１０５には、図１０に示すように、再生データとして、映像１〜１０が予め記録されている。
【００５６】
実施例５に係る視聴者映像記録再生装置において、コントローラ１０８は、再生回路１０９を用いてメディア１０５より信号を読み出す。読み出された信号はバッファ１１０を通過し、デコーダ１１１で復号処理され、モニタ出力１１２およびスピーカ出力１１３となる。
【００５７】
図１０に示すように、視聴者が再生映像１〜１０を鑑賞しながら、４〜６、８〜９区間で歓声をあげたとする。この時、コントローラ１０８は、カメラ１０１およびマイク１０６を用いて、再生映像を鑑賞している視聴者を撮影し、マイク１０６からの音声信号の音圧レベルを音圧判定回路１０７で検出し、音圧レベルが予め設定されている値を超えた範囲を視聴者の歓声と判定する。
【００５８】
そして、音源判定回路１２１により、視聴者を撮影した画面内で音圧レベルが高い場所を検出し、その場所を表す位置情報を生成する。ここで、音圧レベルが高い場所を検出するための方法として、マイク１６に入力されるステレオ音声において、左右の音圧レベルの比率に応じる方法等が用いられる。
その後、画像切り出し回路１２２を用いて、画面内の音圧レベルが高い部分を切り出して拡大し、視聴者映像としてエンコーダ１０２を用いて符号化する。
【００５９】
符号化信号は、バッファ１０３を通過し、記録回路１０４を用いて、メディア１０５に追加記録データ１１〜１５として記録される。また、再生手順リストに従い再生データを再編成することにより、映像１〜１０の間に追加記録データ１１〜１５が挿入された形となる。
【００６０】
ここで、エンコーダ１０２からバッファ１０３に入力される転送速度よりも、バッファ１０３から記録回路１０４およびメディア１０５へ出力される転送速度の方が速く、また、メディア１０５および再生回路１０９からバッファ１１０に入力される転送速度よりも、バッファ１１０からデコーダ１１１に出力される転送速度の方が遅くなっている。このため、映像および音声の記録、再生を途切れることなく交互に行うことが可能となる。
【００６１】
上記動作が完了した後の再生動作において、コントローラ１０８は、再生手順リストに従い、再生回路１０９を用いてメディア１０５から信号を読み出し、バッファ１１０に保持した後、デコーダ１１１で復号処理し、モニタ出力１１２およびスピーカ出力１１３として出力する。
【００６２】
以上の動作により、図１０に示すように、予め記録されていた映像１〜１０に対して、当該映像を鑑賞し歓声をあげている視聴者の拡大映像および音声１１〜１５が、適宜挿入されて再生される。
ここで、追加記録される視聴者映像１１〜１５は、図１０における映像１０の直後に連続的に記録される必要はなく、メディア１０５上で離れた位置に離散的に記録されても何ら問題はない。
【００６３】
＜実施例６＞
次に、本発明の実施例６に係る視聴者映像記録再生装置について説明する。
図１１は、本発明の実施例６に係る視聴者映像記録再生装置の構成を示すブロック図である。また、図１２は、実施例６に係る視聴者映像記録再生装置で使用するメディア上に記録された再生データの構造を示す説明図である。
【００６４】
実施例６に係る視聴者映像記録再生装置は、上述した実施例１および実施例５に係る視聴者映像記録再生装置とほぼ同様の構成を備えているため、以下、実施例１および実施例５に係る視聴者映像記録再生装置と異なる部分のみを説明する。なお、実施例１および実施例５に係る視聴者映像記録再生装置とほぼ同様の機能を有する部分には、同一の符号を付して詳細な説明を省略する。
【００６５】
実施例６に係る視聴者映像記録再生装置において、コントローラ１０８は、記録回路１０４および再生回路１０９を用いて、音源判定回路１２１からの位置情報の記録および再生を行う。
メディア１０５には、図１２に示すように、再生データとして、映像１〜１０が予め記録されている。
実施例６に係る視聴者映像記録再生装置において、コントローラ１０８は、再生回路１０９を用いてメディア１０５より信号を読み出す。読み出された信号はバッファ１１０を通過し、デコーダ１１１で復号処理され、モニタ出力１１２およびスピーカ出力１１３となる。
【００６６】
図１２に示すように、視聴者が映像１〜１０を鑑賞しながら、４〜６、８〜９区間で歓声をあげたとする。この時、コントローラ１０８は、カメラ１０１およびマイク１０６を用いて、再生映像を鑑賞している視聴者を撮影し、マイク１０６からの音声信号の音圧レベルを音圧判定回路１０７で検出し、音圧レベルが予め設定されている値を超えた範囲を視聴者の歓声と判定する。
【００６７】
そして、音源判定回路１２１により、視聴者を撮影した画面内で音圧レベルが高い場所を検出し、その場所を表す位置情報を生成する。ここで、音圧レベルが高い場所を検出するための方法として、マイク１６に入力されるステレオ音声において、左右の音圧レベルの比率に応じる方法等が用いられる。
その後、視聴者映像としてエンコーダ１０２を用いて符号化する。符号化信号と音圧レベルの高い場所を表す位置情報は、バッファ１０３を通過し、記録回路１０４を用いてメディア１０５に追加記録データ１１〜１５として記録される。また、再生手順リストに従い再生データを再編成することにより、映像１〜１０の間に追加記録データ１１〜１５が挿入された形となる。
【００６８】
ここで、エンコーダ１０２からバッファ１０３に入力される転送速度よりも、バッファ１０３から記録回路１０４およびメディア１０５へ出力される転送速度の方が速く、また、メディア１０５および再生回路１０９からバッファ１１０に入力される転送速度よりも、バッファ１１０からデコーダ１１１に出力される転送速度の方が遅くなっている。このため、映像および音声の記録、再生を途切れることなく交互に行うことが可能となる。
【００６９】
上記動作が完了した後の再生動作において、コントローラ１０８は、再生手順リストに従い、再生回路１０９を用いてメディア１０５から信号を読み出し、バッファ１１０に保持した後、デコーダ１１１で復号処理し、モニタ出力１１２およびスピーカ出力１１３として出力する。
この時、視聴者映像についてはメディア１０５に記録されている位置情報を読み出し、画像切り出し回路１２２を用いて画面内の音圧レベルが高い部分を切り出して拡大出力する。
【００７０】
以上の動作により、図１２に示すように、予め記録されていた映像１〜１０に対して、それを鑑賞し歓声をあげている視聴者の拡大映像および音声１１〜１５が、適宜挿入されて再生される。
ここで、追加記録される視聴者映像１１〜１５は、図１２における映像１０の直後に連続的に記録される必要はなく、メディア１０５上で離れた位置に離散的に記録されても何ら問題はない。
【００７１】
＜実施例７＞
次に、本発明の実施例７に係る視聴者映像記録再生装置について説明する。
図１３は、本発明の実施例７に係る視聴者映像記録再生装置の構成を示すブロック図である。また、図１４は、実施例７に係る視聴者映像記録再生装置で使用するメディア上に記録された再生データの構造を示す説明図である。
【００７２】
実施例７に係る視聴者映像記録再生装置は、上述した実施例１および実施例５に係る視聴者映像記録再生装置とほぼ同様の構成を備えているため、以下、実施例１および実施例５に係る視聴者映像記録再生装置と異なる部分のみを説明する。なお、実施例１および実施例５に係る視聴者映像記録再生装置とほぼ同様の機能を有する部分には、同一の符号を付して詳細な説明を省略する。
【００７３】
図１３において、１２３はマイク１６より入力された音声信号を音声認識して文字情報を生成するための音声認識回路、１２４は音声認識回路１２３からの文字情報を、カメラ１０１からの入力映像に対してテロップとして合成するためのテロップ挿入回路である。
メディア１０５には、図１４に示すように、再生データとして、映像１〜１０が予め記録されている。
【００７４】
実施例７に係る視聴者映像記録再生装置において、コントローラ１０８は、再生回路１０９を用いてメディア１０５より信号を読み出す。読み出された信号はバッファ１１０を通過し、デコーダ１１１で復号処理され、モニタ出力１１２およびスピーカ出力１１３となる。
【００７５】
図１４に示すように、視聴者が映像１〜１０を鑑賞しながら、４〜６、８〜９区間で歓声をあげたとする。この時、コントローラ１０８は、カメラ１０１およびマイク１０６を用いて、再生映像を鑑賞している視聴者を撮影し、マイク１０６からの音声信号の音圧レベルを音圧判定回路１０７で検出し、音圧レベルが予め設定されている値を超えた範囲を視聴者の歓声と判定する。
そして、音声認識回路１２３により、マイク１０６からの音声に基づいて文字情報を生成する。続いて、テロップ挿入回路１２４により、視聴者映像に対して文字情報をテロップとして合成した後、視聴者映像としてエンコーダ１０２を用いて符号化する。
【００７６】
符号化信号および音圧レベルが高い範囲の位置情報は、バッファ１０３を通過し、記録回路１０４を用いてメディア１０５に追加記録データ１１〜１５として記録される。また、再生手順リストに従い再生データを再編成することにより、映像１〜１０の間に追加記録データ１１〜１５が挿入された形となる。
【００７７】
ここで、エンコーダ１０２からバッファ１０３に入力される転送速度よりも、バッファ１０３から記録回路１０４およびメディア１０５へ出力される転送速度の方が速く、また、メディア１０５および再生回路１０９からバッファ１１０に入力される転送速度よりも、バッファ１１０からデコーダ１１１に出力される転送速度の方が遅くなっている。このため、映像および音声の記録、再生を途切れることなく交互に行うことが可能となる。
上記動作が完了した後の再生動作において、コントローラ１０８は、再生手順リストに従い、再生回路１０９を用いてメディア１０５から信号を読み出し、バッファ１１０に保持した後、デコーダ１１１で復号処理し、モニタ出力１１２およびスピーカ出力１１３として出力する。
【００７８】
以上の動作により、図１４に示すように、予め記録されていた映像１〜１０に対して、視聴者の歓声がテロップとして合成された映像および音声１１〜１５が、適宜挿入されて再生される。
ここで、追加記録される視聴者映像１１〜１５は、図１４における映像１０の直後に連続的に記録される必要はなく、メディア１０５上で離れた位置に離散的に記録されても何ら問題はない。
【００７９】
＜実施例８＞
次に、本発明の実施例８に係る視聴者映像記録再生装置について説明する。
図１５は、本発明の実施例８に係る視聴者映像記録再生装置の構成を示すブロック図である。また、図１６は、実施例８に係る視聴者映像記録再生装置で使用するメディア上に記録された再生データの構造を示す説明図である。
【００８０】
実施例８に係る視聴者映像記録再生装置は、上述した実施例１および実施例７に係る視聴者映像記録再生装置とほぼ同様の構成を備えているため、以下、実施例１および実施例７に係る視聴者映像記録再生装置と異なる部分のみを説明する。なお、実施例１および実施例７に係る視聴者映像記録再生装置とほぼ同様の機能を有する部分には、同一の符号を付して詳細な説明を省略する。
【００８１】
実施例７に係る視聴者映像記録再生装置において、コントローラ１０８は、記録回路１０４および再生回路１０９を用いて、音声認識回路１２３からの文字情報の記録および再生を行う。
メディア１０５には、図１６に示すように、再生データとして、映像１〜１０が予め記録されている。
【００８２】
実施例７に係る視聴者映像記録再生装置において、コントローラ１０８は、再生回路１０９を用いてメディア１０５より信号を読み出す。読み出された信号はバッファ１１０を通過し、デコーダ１０５で復号処理され、モニタ出力１１２およびスピーカ出力１１３となる。
【００８３】
図１６に示すように、視聴者が映像１〜１０を鑑賞しながら、４〜６、８〜９区間で歓声をあげたとする。この時、コントローラ１０８は、カメラ１０１およびマイク１０６を用いて、再生映像を鑑賞している視聴者を撮影し、音圧レベルを音圧判定回路１０７で検出し、音圧レベルが予め設定されている値を超えた範囲を視聴者の歓声と判定する。
そして、音声認識回路１２３により、マイク１０６からの音声に基づいて文字情報を生成し、視聴者映像としてエンコーダ１０２を用いて符号化する。
【００８４】
符号化信号および文字情報は、バッファ１０３を通過し、記録回路１０４を用いてメディア１０５に追加記録データ１１〜１５として記録される。また、再生手順リストに従い再生データを再編成することにより、映像１〜１０の間に追加記録データ１１〜１５が挿入された形となる。
【００８５】
ここで、エンコーダ１０２からバッファ１０３に入力される転送速度よりも、バッファ１０３から記録回路１０４およびメディア１０５へ出力される転送速度の方が速く、また、メディア１０５および再生回路１０９からバッファ１１０に入力される転送速度よりも、バッファ１１０からデコーダ１１１に出力される転送速度の方が遅くなっている。このため、映像および音声の記録、再生を途切れることなく交互に行うことが可能となる。
【００８６】
上記動作が完了した後の再生動作において、コントローラ１０８は、再生手順リストに従い、再生回路１０９を用いてメディア１０５から信号を読み出し、バッファ１１０に保持した後、デコーダ１１１で復号処理し、モニタ出力１１２およびスピーカ出力１１３として出力する。
この時、視聴者映像については、メディア１０５に記録されている文字情報を読み出し、テロップ挿入回路１２４により、当該文字情報を視聴者映像に対してテロップとして合成して出力する。
【００８７】
以上の動作により、図１６に示すように、予め記録されていた映像１〜１０に対して、視聴者の歓声がテロップとして合成された映像および音声１１〜１５が、適宜挿入されて再生される。
ここで、追加記録される視聴者映像１１〜１５は、図１６における映像１０の直後に連続的に記録される必要はなく、メディア１０５上で離れた位置に離散的に記録されても何ら問題はない。
【００８８】
【発明の効果】
本発明の視聴者映像記録再生装置は、上述した構成を備えているため、以下の効果を奏することができる。
【００８９】
本発明の視聴者映像記録再生装置によれば、予め映像および音声信号が記録されているメディアを再生しながら視聴者を撮影し、入力された映像および音声信号の符号化を行ない、視聴者の歓声が検知されると、歓声をあげている視聴者の映像をメディアに記録するとともに、視聴者映像を挿入する部分を表す情報をメディアに記録する。そして、メディアに記録された映像および音声信号を再生する際に、視聴者が歓声をあげている映像を挿入して再生することができる。
したがって、例えば、赤ちゃん、子供を撮影した映像を鑑賞している父母、祖父母、親類などが歓声をあげた場面を自動的に記録し、再生時に挿入再生することが可能となる。
【００９０】
また、本発明の視聴者映像記録再生装置によれば、メディアに記録された映像および音声信号を再生する際に、予め記録されていた再生映像に対して、歓声をあげている視聴者の再生映像を子画面として挿入し、それぞれの音声をミックスして出力することができる。
したがって、例えば、赤ちゃん、子供を撮影した映像を鑑賞している父母、祖父母、親類などが歓声をあげた場面を自動的に子画面として記録し、再生時に挿入再生することが可能となる。
【００９１】
また、本発明の視聴者映像記録再生装置によれば、メディアに記録された映像および音声信号を再生する際に、予め記録されている再生映像の音声と、歓声をあげている視聴者の再生音声とをミックスして出力することができる。
したがって、例えば、赤ちゃん、子供を撮影した映像を鑑賞している父母、祖父母、親類などが歓声をあげた場面を自動的に記録し、再生時に音声をミックスして再生することが可能となる。
【００９２】
また、本発明の視聴者映像記録再生装置によれば、視聴者が歓声をあげた部分のサムネイル映像をメディアに記録するとともに、該サムネイル映像に対応する元映像のメディア上の位置を表す情報を記録して、映像および音声信号を再生する際に、歓声のあがった映像を呼び出して再生することができる。
したがって、例えば、赤ちゃん、子供を撮影した映像を鑑賞している父母、祖父母、親類などが歓声をあげた場面を自動的に記録し、再生時に挿入再生することが可能となる。さらに、歓声をあげた部分の赤ちゃんや子供の映像をサムネイル画像として保存し、その場面を直接呼び出すことが可能となる。
【００９３】
また、本発明の視聴者映像記録再生装置によれば、歓声が検出されると、歓声を発生した視聴者を拡大撮影して、該拡大画像をメディアに記録することができる。
したがって、例えば、赤ちゃん、子供を撮影した映像を鑑賞している父母、祖父母、親類などが歓声をあげた場面で、自動的に歓声をあげた人物を拡大して記録し、再生時に挿入再生することが可能となる。
【００９４】
また、本発明の視聴者映像記録再生装置によれば、視聴者全体の映像をメディアに記録するとともに、歓声を発生した視聴者の映像内における位置情報をメディアに記録し、映像および音声信号を再生する際に、歓声発生場所の位置情報に基づいて再生映像の一部を切り出すとともに拡大し、歓声をあげた視聴者を拡大表示することができる。
したがって、例えば、赤ちゃん、子供を撮影した映像を鑑賞している父母、祖父母、親類などが歓声をあげた場面を自動的に記録し、再生時に歓声をあげた人物を拡大して挿入再生することが可能となる。さらに、映像の一部を拡大せずに、父母、祖父母、親類全体の映像を挿入再生することが可能となる。
【００９５】
また、本発明の視聴者映像記録再生装置によれば、視聴者があげた歓声を文字情報に変換し、該文字情報をテロップとして映像に合成してメディアに記録することができる。
したがって、例えば、赤ちゃん、子供を撮影した映像を鑑賞している父母、祖父母、親類などが歓声をあげた場面で、自動的に歓声をテロップとして挿入して記録し、再生時に挿入再生することが可能となる。
【００９６】
また、本発明の視聴者映像記録再生装置によれば、音声および映像信号を再生する際に、歓声をテロップとして映像に合成することができる。
したがって、例えば、赤ちゃん、子供を撮影した映像を鑑賞している父母、祖父母、親類などが歓声をあげた場面で、自動的に歓声をテロップ情報として記録し、再生時にテロップが合成された映像を挿入再生することが可能となる。
【図面の簡単な説明】
【図１】本発明の実施例１に係る視聴者映像記録再生装置の構成を示すブロック図である。
【図２】本発明の実施例１に係る視聴者映像記録再生装置で使用するメディア上に記録された再生データの構造を示す説明図である。
【図３】本発明の実施例２に係る視聴者映像記録再生装置の構成を示すブロック図である。
【図４】本発明の実施例２に係る視聴者映像記録再生装置で使用するメディア上に記録された再生データの構造を示す説明図である。
【図５】本発明の実施例３に係る視聴者映像記録再生装置の構成を示すブロック図である。
【図６】本発明の実施例３に係る視聴者映像記録再生装置で使用するメディア上に記録された再生データの構造を示す説明図である。
【図７】本発明の実施例４に係る視聴者映像記録再生装置の構成を示すブロック図である。
【図８】本発明の実施例４に係る視聴者映像記録再生装置で使用するメディア上に記録された再生データの構造を示す説明図である。
【図９】本発明の実施例５に係る視聴者映像記録再生装置の構成を示すブロック図である。
【図１０】本発明の実施例５に係る視聴者映像記録再生装置で使用するメディア上に記録された再生データの構造を示す説明図である。
【図１１】本発明の実施例６に係る視聴者映像記録再生装置の構成を示すブロック図である。
【図１２】本発明の実施例６に係る視聴者映像記録再生装置で使用するメディア上に記録された再生データの構造を示す説明図である。
【図１３】本発明の実施例７に係る視聴者映像記録再生装置の構成を示すブロック図である。
【図１４】本発明の実施例７に係る視聴者映像記録再生装置で使用するメディア上に記録された再生データの構造を示す説明図である。
【図１５】本発明の実施例８に係る視聴者映像記録再生装置の構成を示すブロック図である。
【図１６】本発明の実施例８に係る視聴者映像記録再生装置で使用するメディア上に記録された再生データの構造を示す説明図である。
【符号の説明】
１０１  カメラ
１０２  エンコーダ
１０３  バッファ
１０４  記録回路
１０５  メディア
１０６  マイク
１０７  音圧判定回路
１０８  コントローラ（ＣＴＬ）
１０９  再生回路
１１０  バッファ
１１１  デコーダ
１１２  モニタ出力
１１３  スピーカ出力
１１４〜１１７  バッファ
１１８  子画面合成回路（ＰｉｎＰ）
１１９  音声ミキシング回路（Ｍｉｘ）
１２０  サムネイル作成回路
１２１  音源判定回路
１２２  画像切り出し回路
１２３  音声認識回路
１２４  テロップ挿入回路
【図１】
0003688214.tif 000002
【図２】
0003688214.tif 000003
【図３】
0003688214.tif 000004
【図４】
0003688214.tif 000005
【図５】
0003688214.tif 000006
【図６】
0003688214.tif 000007
【図７】
0003688214.tif 000008
【図８】
0003688214.tif 000009
【図９】
0003688214.tif 000010
【図１０】
0003688214.tif 000011
【図１１】
0003688214.tif 000012
【図１２】
0003688214.tif 000013
【図１３】
0003688214.tif 000014
【図１４】
0003688214.tif 000015
【図１５】
0003688214.tif 000016
【図１６】
0003688214.tif 000017